(57)【要約】【課題】  過大な力が働いても、解錠されないような電気錠を提供する。【解決手段】  ロック対象の係合穴に係合するロック金具係合部５ａとカムストッパー押接部５ｂを有し回動可能なカム５と、該カム５のカムストッパー押接部５ｂを受けるカムストッパー３のカム受部３ａと、該カムストッパーのカム受部３ａを支えるカム止めガイド板１７を設ける。【選択図】図１
2020066953.tif 000002
【特許請求の範囲】
【請求項１】
ロック金具の係合穴に係合する係合部と押接部を有し回動可能なカムと、
該カムの押接部を施錠時に受けるカムストッパーと、
該カムストッパーを支えるカム止めガイド板と、
該カムストッパーが連結されたプランジャーを有するソレノイドを備えたことを特徴とする電気錠。
【請求項２】
前記カムを解錠方向に付勢するトーションバネを備えたことを特徴とする請求項１に記載の電気錠。
【請求項３】
前記プランジャーを前記ソレノイドから出る方向に付勢する押しバネを備えたことを特徴とする請求項１または請求項２に記載の電気錠。
【発明の詳細な説明】
【技術分野】
【０００１】
本発明は、貴重品ロッカーの扉等に適用可能な電気錠に関する。    
【背景技術】
【０００２】
ソレノイドを利用した電気錠はいろいろ開発されている。例えば、特許文献１に記載の電気錠は、シンプルな構造で実現されているが、扉を開けようとして強い力がかかると、ロックカムはスライドカムを押し、その先端はマニュアルレバーの面を滑って解錠される恐れがある（図１等）。
【先行技術文献】
【特許文献】
【０００３】
【特許文献１】実開平６−７８５５２
【発明の概要】
【発明が解決しようとする課題】
【０００４】
本発明は、このように、解錠するために強い力が働いても、ロックが解錠されないような電気錠を提供することを目的とする。
【課題を解決するための手段】
【０００５】
ロック対象の係合穴に係合する係合部と押接部を有し回動可能なカムと、
該カムの押接部を施錠時に受けるカムストッパーと、該カムストッパーを支えるカム止めガイド板と、該カムストッパーが連結されたプランジャーを有するソレノイドを備えたことを特徴とする。
【発明の効果】
【０００６】
カムストッパーに解錠方向の強い力が働いても、カム止めガイド板がカムストッパーを支えて、その変形を防止するので、強い力でドアを開けることを防止することができる。
また、ロックを解錠するためには、ソレノイドに通電してカムストッパーを少しだけ解錠方向にスライドさせるだけですむので、ソレノイドの容量を小さくすることができ、電気錠をコンパクトに構成することができる。
【図面の簡単な説明】
【０００７】
【図１】本発明に係る電気錠の全体構成を示す図
【図２】施錠前のロック金具、カム及びカムストッパーの位置関係を示す図
【図３】施錠中のロック金具、カム及びカムストッパーの位置関係を示す図
【図４】施錠後のロック金具、カム及びカムストッパーの位置関係を示す図
【図５】ガイド板、カム止めガイド板及びカムストッパーをカム側から見た図
【発明を実施するための形態】
【実施例】
【０００８】
本電気錠の構成を、図１を使って説明する。
カム５は、ロック金具係合部５ａとカムストッパー押接部５ｂを有し、ベース１に固定された支点ピン４周りに回動可能で、トーションバネ１０により解錠方向（図の時計回り）に付勢されている。
ロック金具係合部５ａは、施錠時に、ロック金具２０の係合穴２０ａに係合する部分である。ロック金具２０は、本電気錠を使って施錠・解錠される扉等に固定される。
カムストッパー押接部５ｂはカム５の端部であって、施錠時に、カムストッパー３のカム受部３ａに押接される部分である。
解錠状態におけるカム５の回転は、ベース１に固定されているカムストッパーピン１６で制限される。
施錠状態におけるカム５の回転は、カムストッパー３のカム受部３ａで制限される。
【０００９】
カムストッパー３は、ベース１に固定されたガイド板２およびカム止めガイド板１７に挟まれ、カムストッパー３のソレノイド２５側端がプランジャー２６に連結ピン２７で連結されている。カムストッパー３はプランジャー２６に連動してスライド可能である。ソレノイド２５はベース１に固定されている。
ソレノイド２５に非通電時、プランジャー２６は、押しバネ１５により、ソレノイド２５からカム５方向に付勢され、カム止めガイド板１７のソレノイド２５側端に押し当てられている。
【００１０】
ソレノイド２５に通電時、プランジャー２６はソレノイド２５側に引き込まれ、プランジャー２６に連動するカムストッパー３はカム止めガイド板１７のカム５側端に接している。
カムストッパー３のカム受部３ａは、施錠時にカム５のカムストッパー押接部５ｂを受ける部分である。
図５に示すように、カム受部３ａは、カム止めガイド板１７のカムストッパー３側側面で支持されている。
【００１１】
施錠及び解錠の定常状態において、ソレノイド２５は非通電である。施錠状態から解錠状態に移行するときに、ソレノイド２５は通電される。
【００１２】
非通電時に扉が開いているとき、ロック金具２０は、図２に示すように、カム５から離れている。
扉を閉めると、図３に示すように、ロック金具２０がカム３のロック金具接触部５ｃを押し、カム３は反時計回りに回転し、扉が閉まったとき、図４に示すように、カム５のロック金具係合部５ａがロック金具２０の係合穴２０ａに係合する。
【００１３】
一方、カムストッパー押接部５ｂがカムストッパー３のカム受部３ａの上面を通過するまで回転すると、カムストッパー３が押しバネの付勢力によってカム５側に押し出される。
カム５はトーションバネ１０によって時計回りに付勢されているので、カム５のカムストッパー押接部５ｂはカムストッパー３のカム受部３ａに押接される。
【００１４】
これで、カム５は回動することができない状態になり、施錠が完了する。
図５に示すように、カム受部３ａは、カム止めガイド板１７のカムストッパー３側側面で支持されている。よって、ロック金具２０に解錠方向の強い力が働き、カム３に時計回りの強い力が働いてもカムストッパー３が変形したりすることがなく、施錠状態は確実に保たれる。
【００１５】
解錠するときは、ソレノイド２５に通電する。
プランジャー２６が、ソレノイドに通電することによって発生した磁力によりソレノイド２５側に引き込まれ、カムストッパー３もソレノイド２５側にスライドし、カムストッパー３のカム受部３ａがカム５のカムストッパー押接部５ｂから外れる。
カム５はトーションバネ１０の付勢力により、時計回りに回転し、カム５のロック金具係合部５ａがロック金具２０の係合穴２０ａから外れるので、ロック金具２０は解錠され、扉を開くことができるようになる。
【００１６】
なお、電気的な故障によりソレノイドが動作しないときは、連結ピン２７を直接操作し、カムストッパー３をソレノイド２５側にスライドさせて解錠することができる。
【産業上の利用可能性】
【００１７】
本電気錠は、貴重品ロッカー等の扉を施錠、解錠するのに適する。
【符号の説明】
【００１８】
１  ベース
２  ガイド板
３  カムストッパー
３ａ  カム受部
４  支点ピン
５  カム
５ａ  ロック金具係合部
５ｂ  カムストッパー押接部
５ｃ  ロック金具接触部
１０  トーションバネ
１５  押しバネ
１６  カムストッパーピン
１７  カム止めガイド板
２０  ロック金具
２０ａ    係合穴
２５  ソレノイド
２６  プランジャー
２７  連結ピン
【図１】
2020066953.tif 000003
【図２】
2020066953.tif 000004
【図３】
2020066953.tif 000005
【図４】
2020066953.tif 000006
【図５】
2020066953.tif 000007